(57)【要約】【課題】メンテナンス作業において作業者の負担を軽減可能な折畳み椅子付き収容体を提供する。【解決手段】折畳み椅子付き収容体１０は、サーバーラック２に設けられている孔部５ａを用いて固定される折畳み椅子付き収容体であって、底板１１と、この底板１１と前後方向に摺動可能に設けられた天板１４と、を具備し、この底板１１と天板１４との間に折畳み椅子３０を収容可能な空間部を有する筐体１０ａと、当該空間部に収容される前記折畳み椅子３０と、を備えたことを特徴とする。【選択図】図１
2014093325.tif 000002
【特許請求の範囲】
【請求項１】
サーバーラックに設けられている孔部を用いて固定される折畳み椅子付き収容体であって、
底板と、この底板と前後方向に摺動可能に設けられた天板と、を具備し、この底板と天板との間に折畳み椅子を収容可能な空間部を有する筐体と、
前記筐体に設けられた前記孔部に前記折畳み椅子付き収容体を取り付けるための取付具と、
前記筐体の空間部に収容される前記折畳み椅子と、
を備えたことを特徴とする折畳み椅子付き収容体。
【請求項２】
前記筐体には、前記折畳み椅子の移動を規制する規制部材が設けられていることを特徴とする請求項１に記載の折畳み椅子付き収容体。
【請求項３】
前記折畳み椅子は、
左右一対の第１のフレームと、
当該第１のフレームに第１の支軸を介して回動可能に連結された左右一対の第２のフレームと、
前記第２のフレームに前方が回動可能に連結され、前記第１のフレームに後方が第２の支軸を介して回動可能に連結された座板と、を具備し、
前記第１のフレームには、前記第１の支軸又は前記第２の支軸が係合する係合部が形成され、前記係合部は、前記第１のフレームの軸線に沿って形成されており、前記第１のフレームに対する前記第２のフレームの開閉動作に応じて、前記第１又は第２の支軸がこの係合部を移動することを特徴とする折畳み椅子付き収容体。
【発明の詳細な説明】
【技術分野】
【０００１】
本発明は、サーバーラックに取り付けられる折畳み椅子付き収容体に関する。
【背景技術】
【０００２】
サーバーラックは、サーバーとして機能するコンピュータ等の電子機器を収納するものである。このようなサーバーラックはラックフレームを有し、このラックフレームに、例えば、平坦状に形成された水平板を取り付けることによって領域を区分することができる。このようなサーバーラックは、室内に複数組み合わされて配置されており、このようなサーバーラックに収容されているサーバーのメンテナンス作業では、作業者は、例えば別途適当な場所に保管されている折畳み椅子に座ってコンピュータを膝の上に置くなどして作業を行う。
【０００３】
一般に知られている折畳み椅子は、その全体形状が湾曲して形成されており、サーバーラックに収容しにくく、通常は室内の適当な場所に保管されている。よって、折畳み椅子を用いる場合には、その折畳み椅子が保管されている場所まで取りに行く必要がある。
【０００４】
なお、平坦状に折畳み可能な折畳み椅子であれば、狭い隙間等に収納し易く便利であり、このような折畳み椅子は従来から存在する（例えば、特許文献１参照）。
【先行技術文献】
【特許文献】
【０００５】
【特許文献１】特許第３６９２３０３号公報
【発明の開示】
【発明が解決しようとする課題】
【０００６】
サーバーのメンテナンス作業において、椅子をサーバーラックから離れた別の保管場所まで取りに行くのは手間がかかる。一方で、サーバーラック内に椅子を収容する場合、サーバーラックの内部には、様々な電子機器が取り付けられており、地震などの発生によって当該椅子が電子機器に衝突するおそれがある。
【０００７】
また、メンテナンス作業においては、作業者が椅子に座ってコンピュータを膝の上に置くなどして作業を行っており作業者への負担が大きかった。
【０００８】
そこで、本発明は上記問題を課題の一例として為されたもので、折畳み椅子をサーバーラックに収容可能であって、メンテナンス作業において作業者の負担を軽減可能な折畳み椅子付き収容体を提供することを目的とする。
【課題を解決するための手段】
【０００９】
上記課題を解決するために、請求項１に記載の折畳み椅子付き収容体は、サーバーラック（２）に設けられている孔部（５ａ）を用いて固定される折畳み椅子付き収容体であって、底板（１１）と、この底板と前後方向に摺動可能に設けられた天板（１４）と、を具備し、この底板と天板との間に折畳み椅子（３０）を収容可能な空間部を有する筐体（１０）と、前記筐体に設けられた前記孔部に前記折畳み椅子付き収容体を取り付けるための取付具（１７等）と、前記筐体の空間部に収容される前記折畳み椅子と、を備えたことを特徴とする。
【００１０】
また、請求項２に記載の折畳み椅子付き収容体は、請求項１に記載の折畳み椅子付き収容体において、前記筐体には、前記折畳み椅子の移動を規制する規制部材（１５）が設けられていることを特徴とする。
【００１１】
また、請求項３に記載の折畳み椅子付き収容体は、請求項１又は請求項２に記載の折畳み椅子付き収容体において、前記折畳み椅子は、左右一対の第１のフレーム（３７）と、当該第１のフレームに第１の支軸（３４）を介して回動可能に連結された左右一対の第２のフレーム（３６）と、前記第２のフレームに前方が回動可能に連結され、前記第１のフレームに後方が第２の支軸（４６）を介して回動可能に連結された座板（３１）と、を具備し、前記第１のフレームには、前記第１の支軸又は前記第２の支軸が係合する係合部（４５）が形成され、前記係合部は、前記第１のフレームの軸線に沿って形成されており、前記第１のフレームに対する前記第２のフレームの開閉動作に応じて、前記第１又は第２の支軸がこの係合部を移動することを特徴とする。
【発明の効果】
【００１２】
本発明によれば、折畳み椅子をまとまりよくサーバーラックに収納することができる。また、天板を前方に引き出すことで簡易的なテーブルとして機能するため、メンテナンス作業を行う際の作業者の負担を軽減することができる。
【図面の簡単な説明】
【００１３】
【図１】収容体の外観を示し、図１（ａ）は折畳み椅子が収容されていない時の収容体の模式図、図１（ｂ）は折畳み椅子が収容されている時の収容体の模式図、図１（ｃ）は天板の動作例を示す模式図である。
【図２】サーバーラックへの収容体の取付例を示し、図２（ａ）はサーバーラックに折畳み椅子付き収容体を収容した状態を示す模式図、図２（ｂ）は折畳み椅子を収容体から取外しして使用する際の状態を示す模式図である。
【図３】収容体の取付例を示す正面図である。
【図４】収容体の右側面図である。
【図５】折畳み椅子を閉じた状態を示し、図５（ａ）は正面図、図５（ｂ）は右側面図である。
【図６】折畳み椅子を展開した状態を示し、図６（ａ）は正面図、図６（ｂ）は右側面図である。
【発明を実施するための形態】
【００１４】
以下、本願の最良の実施形態について添付図面を参照して説明する。
【００１５】
折畳み椅子付き収容体（以下、「収容体１０」と称する。）は、図１に示すように、外形が略直方体形状の筐体１０ａを有し、例えば、図２（ａ）に示すように、筐体１０ａのサイズが１９インチのサーバーラック２の一区画（１Ｕ）にちょうど収まる大きさに形成され、サーバーラック２のラックフレーム５に取り付けられて用いられる。なお、この一区画の大きさは、ＥＩＡによって規格化された幅１９インチ、高さ１．７５インチの領域を言うものである。
【００１６】
この筐体１０ａには、図１（ｂ）に示すように、平坦状に折畳み可能な折畳み椅子３０が着脱可能に収容されており、この折畳み椅子３０は、図２（ａ）中の矢印に示すように、収容体１０から前方へと引き出して取り外すことが可能となっている。
【００１７】
また、当該収容体１０の天板１４は、図１（ｃ）、及び図２（ｂ）に示すように、前方へと引き出してテーブルとして利用することが可能であり、サーバのメンテナンス作業において、作業者は、天板１４上にコンピュータ等を置き、折畳み椅子３０に座って作業を行うことができる。
【００１８】
図２に示すように、サーバーラック２は、四方に設けられたラックフレーム５を備え、例えば、このラックフレーム５を覆うようにして、正面パネル、左右の側面パネル６、背面パネル、底板パネル、及び天板パネルを備え、箱状に形成される。なお、図示しないが、正面パネル及び背面パネルは、扉として機能するものであって開閉可能に取り付けられており、この扉の開閉によってサーバーラック２の内部に収容される電子機器等のメンテナンスを行うことが可能である。
【００１９】
図３に示すように、ラックフレーム５には、上下方向に複数の孔部５ａが形成されており、この孔部５ａを用いて収容体１０が図示しない固定具（本願の取付具）によってサーバーラック２に固定される。
【００２０】
図１、図３及び図４に示すように、収容体１０は、両側を上方へと折り曲げて側壁１２を形成した平面視が略矩形状の基体１１（本願の底板）と、正面視において、この基体１１の両側端部に設けられるガイドレール１３を介して、この基体１１と対向して設けられる天板１４と、を備えている。ガイドレール１３は、上下に設けられる一対のレール１３ａ、１３ｂを備え、図１（ｃ）に示すように、天板１４が取り付けられている上側のレール１３ａが下側のレール１３ｂに対してその軸線方向に移動可能となっている。そして、天板１４は、図１（ｃ）に示すように、ガイドレール１３によって、前方へと突出することが可能となっており、天板１４を前方へと突出させることで、この天板１４はテーブルとして機能する。
【００２１】
一方、当該収容体１０は、基体１１、側壁１２、天板１４によって囲まれた空間部を有しており、この空間部には、前方から折畳み椅子３０を挿入可能となっており、収容体１０に折畳み椅子３０を収容可能となっている。
【００２２】
また、図１（ｃ）及び図３に示すように、基体１１の後方には、略中央部に当該基体１１の後端部が上方に折り曲げられて形成された曲折体１５が設けられており、折畳み椅子３０を収容体１０に収容する際、折畳み椅子３０の一部（具体的には、後述する折畳み椅子の短脚用連結体３６ａ）がこの曲折体１５に当接することで折畳み椅子３０の後方への移動が規制され、折畳み椅子３０が収容体１０内の規定の位置に配置される。
【００２３】
なお、この曲折体１５は、天板１４の後方部に設けられても構わない。これにより、天板１４を前方へと引き出すことで折畳み椅子３０が曲折体１５により押圧され、自然に前方へと移動するので、収容体１０からの折畳み椅子３０の取り外しが容易となる。
【００２４】
また、図１及び図３に示すように、基体１１には、ラックフレーム５に固定するための固定用部材１７として、側壁１２の前方端部を外側へと折り曲げ、更に孔部１７ａを形成した折り曲げ部が設けられており、この固定用部材１７に形成された孔部１７ａと、サーバーラック２のラックフレーム５に設けられた孔部５ａとを重ね合わせてボルトナット等の固定具によって固定することで、図２に示すように、収容体１０がサーバーラック２に固定される。
【００２５】
なお、基体１１の後方にさらにラックフレーム５に固定するための固定用部材を設け、上記同様に固定具によって収容体１０の前後左右をラックフレーム５又はラックフレーム５に取り付けられる部材等に固定しても構わない。
【００２６】
以上に説明したように、収容体１０をサーバーラック２に取り付けることで、折畳み椅子３０をまとまりよくサーバーラック２に収容することが可能である。また、天板１４を手前に引き出すことで、天板１４が簡易的なテーブルとして機能するため、メンテナンス作業を行う際の作業者の負担を軽減することができる。
【００２７】
次に、収容体１０に収容される折畳み椅子３０について説明する。以下の説明において、折畳み椅子を展開した（開いた）状態とは、座板３１を水平状態に保ち、使用者が着座可能な状態（図６（ｂ）参照）を言い、折畳み椅子を収納した（閉じた）状態とは、支持脚３３が一直線状になって平坦状になった状態（図５（ｂ）参照）を言うものとする。
【００２８】
本実施形態の折畳み椅子３０は、例えば、アルミニウムやＳＵＳ等の金属材料の削り出しにより形成され、図６（ｂ）に示すように利用者が着座するための平板状の座板３１と、この座板３１を支持する支持脚３３と、を備えており、図５（ｂ）に示すように、折畳み椅子を展開した状態から、側面視で平坦状に折畳むことが可能になっている。
【００２９】
支持脚３３は、側面視で略「Ｘ」字状の左右一対のＸ脚で構成され、各Ｘ脚は支軸３４（本願の第１の支軸）を介して相互に回動脚自在に連結した短脚体３６（本願の第２のフレーム）及び長脚体３７（本願の第１のフレーム）を備えている。左右の短脚体３６は、図５（ａ）に示すように、正面視で略Ｈ字状になるように短脚用連結体３６ａにより連結される。一方、左右の長脚体３７は、上端が架け渡されるように長脚用連結体３７ａにより連結される。また、図５（ａ）及び図６（ａ）に示すように、正面視において、左右の短脚体３６の幅は、左右の長脚体３７の幅よりも狭く形成されており、長脚体３７の内側に短脚体３６が配置されている。
【００３０】
短脚体３６及び長脚体３７の下端部先端には、溝が形成され、この溝には、樹脂等で形成される弾性体３８が、短脚体３６及び長脚体３７を水平方向に貫通する支持ピン３９により取り付けられている。弾性体３８は、当該短脚体３６及び長脚体３７の先端部よりも下方に突出するように取り付けられており、この弾性体３８が床面と接触することで、床面との接触による傷つきが防止される。
【００３１】
また、支軸３４は、左右の内側に位置する短脚体３６と外側に位置する長脚体３７とを貫通するピン状の部材が抜け止めされることで取り付けられている。
【００３２】
左右の短脚体３６は、上端部において支軸４１を介して相互に回動自在に座板３１の前方部が連結されている。この支軸４１は、座板３１の前方両側端部から外側に突出して設けられたピン状の部材であり、短脚体３６を貫通して抜け止めされることで取り付けられている。
【００３３】
座板３１は、短脚体３６と長脚体３７の下端を揃えた状態において、短脚体３６と長脚体３７とで囲まれる領域に収まるように略方形に形成されている。座板３１の両側下端部（側面視では前方部）は、短脚体３６の幅に合わせて狭まるように段差を有して形成されている。また、その上端部（側面視では後方部）の中央には、図５（ａ）に示すように、使用者の持ち運び易さを考慮して空間を有するように凹部４２が形成されている。
【００３４】
左右の長脚体３７には、上方部に軸線に沿って長孔４５（本願の係合部）が形成されており、座板３１の後方部は支軸４６（本願の第２の支軸）を介して当該左右の長脚体３７に形成されている長孔４５と係合して左右の長脚体３７に取り付けられている。そして、折畳み椅子３０を展開した状態において、この支軸４６は、長孔４５の下端部に位置し、折畳み椅子３０を閉じると、支軸４６が長孔４５の上方へと移動し、完全に折畳み椅子３０を閉じた状態において、この支軸４６は、長孔４５の上端部に位置する。この支軸４６は、座板３１の後方両側端部から外側に突出して設けられたピン状の部材であり、例えば、その周囲には樹脂等により形成された弾性部材が取り付けられ、長孔４５の内側を摺動しつつ移動する。
【００３５】
また、座板３１の両側前後に設けられている支軸４１、４６間の側面部には、その両側端部から外側に水平方向に突出する突起体５０が回転可能に設けられており、折畳み椅子３０を閉じて後方の支軸４６が長孔４５の上端部に配置され、座板３１と長脚体３７とが完全に重なる際に、当該突起体５０が長脚体３７の端部を乗り越えて長孔４５と係合する。この係合によって、座板３１が回動することを防止し、折り畳まれた状態を維持可能となっている。これにより、折畳み椅子３０を持ち運ぶ際に、折畳み椅子３０が展開することを防止することが可能である。
【００３６】
また、座板３１及び支持脚３３の厚みを同一とすることで、折畳み椅子３０を閉じた状態において、同幅で平坦状に折畳まれることになり、収容体１０に折畳み椅子３０が収容された際に、折畳み椅子を載置する載置面との接触面積を大きくとることができるのでずれにくく載置しておくことが可能である。
【００３７】
ここで、図５及び図６を用いて、折畳み椅子３０の折り畳み動作について説明する。図６に示す展開状態では、座板３１が水平状態に支持脚３３によって支持され、長脚体３７が座板３１に対して直角からやや開いた状態にある。このとき、短脚体３６及び長脚体３７は「Ｘ」字状に開いた状態に保持される。そして、この状態から、座板３１の後方部を上方に持ち上げると、支軸４６が長孔４５を上方へと移動し、座板３１と短脚体３６とが徐々に一直線状に近づきつつ、短脚体３６と長脚体３７とが閉脚しようとする。
【００３８】
さらに、座板３１と短脚体３６とが長脚体３７と重なるように折り畳むと、閉脚動作が更に進み、突起体５０が長脚体３７の端部を乗り越えて長孔４５と係合し、短脚体３６、座板３１、及び長脚体３７が完全に重なり、折畳み動作は終了する。逆の手順で、折畳み椅子３０が閉じた状態から、座板３１の前方部を前方へと引き出すと、短脚体３６と長脚体３７とが「Ｘ」字状に開き、折畳み椅子３０は展開される。
【００３９】
このように構成された折畳み椅子３０は、折り畳まれた状態において、全体が略平坦状に形成される。よって、狭い隙間にすっきりと収めることができ、見栄えがよい。また、載置面に対して座板３１の面が接触するように配置することで、面接触により載置面に対してずれにくく載置しておくことが可能である。また、座板３１の後端に凹部４２を設けることで、長脚用連結体３７ａの中央部を取手として用いることができるので、取り出し易く且つ持ち運び等において作業性が良い。
【００４０】
なお、本願は本実施形態に限定されるものではなく、種々の形態にて実施することが可能である。例えば、本実施形態の機構を用いて、背もたれなしの折畳み椅子としても構わない。このようにすれば、折畳み椅子の小型化が図れ、座板を高めに設定することが可能となる。
【符号の説明】
【００４１】
２  サーバーラック
１０  収容体
１１  基体
１４  天板
３０  折畳み椅子
【図１】
2014093325.tif 000003
【図２】
2014093325.tif 000004
【図３】
2014093325.tif 000005
【図４】
2014093325.tif 000006
【図５】
2014093325.tif 000007
【図６】
2014093325.tif 000008